(57)【要約】      （修正有）【課題】容易に持ち運ぶことができ、しかも炊飯時に計量する必要もなく使用できる米パックを提供する。【解決手段】１合パック袋１は、透明な樹脂袋で構成されており、内部に１合（１５０ｇ）の無洗米を入れることができる大きさに形成されたものである。この１合パック袋１は、その下端および上端を熱シールして密閉することができ、予め下端シール部１ａを熱シールして袋状に形成させておき、その状態で、上端を開けて、内部に１合の米を入れ、中の空気を吸引して真空状態として、上端シール部１ｂを熱シールし、内部に１合の無洗米を密閉することができる。なお、密閉する際に、内部の無洗米の鮮度を保持するために、１合パック袋１の内部に窒素ガスを入れておくこともできる。【選択図】図１
0003165476.tif 000002
【実用新案登録請求の範囲】
【請求項１】
米を１合毎に袋詰めしたことを特徴とする米パック。
【請求項２】
前記米は洗わずにそのまま使える無洗米であることを特徴とする請求項１に記載の米パック。
【請求項３】
前記米パックを構成する袋は透明な樹脂袋であり、該袋内に前記１合の米が密封されてなることを特徴とする請求項１または請求項２に記載の米パック。
【請求項４】
前記袋内は真空状態で密封されていることを特徴とする請求項３に記載の米パック。
【請求項５】
前記袋内に窒素ガスが入れられて密封されていることを特徴とする請求項３に記載の米パック。
【請求項６】
前記１合の米入りの米パックを複数個持ち運び可能なケース内に入れたことを特徴とする請求項１〜請求項５何れかに記載の米パック。
【請求項７】
６個の米パックを前記ケース内に入れたことを特徴とする請求項６に記載の米パック。
【考案の詳細な説明】
【技術分野】
【０００１】
本考案は、米パックに関するものである。
【背景技術】
【０００２】
従来、特許文献１に開示されているように、保存パックに無洗米を充填し、密閉した無洗米パックが存在する。
【先行技術文献】
【特許文献】
【０００３】
【特許文献１】特開２００３−３３４００４号公報
【考案の概要】
【考案が解決しようとする課題】
【０００４】
上記特許文献１に開示されている無洗米パックでは、キログラム単位、即ち、５ｋｇとか１０ｋｇの単位で米を袋詰めしたものであり、重くて持ち運びがしづらいために、一人暮らしの人や老人等が購入しにくく、また、購入した後に、炊飯するだけの米をその都度取り出して計量しなければならないという問題点があった。
【課題を解決するための手段】
【０００５】
本考案は、一人暮らしの人や老人等が手軽に持ち運びすることができ、購入しやすく、しかも、炊飯する時に米の計量の必要がない米パックの提供を目的とし、この目的の少なくとも一部を達成するために以下の手段を採った。
本考案は、米を１合毎に袋詰めしたことを要旨とする。
【考案の効果】
【０００６】
本考案の米パックでは、米１合が袋詰めされたものであるため、軽くて持ち運びしやすく、一人暮らしの人や老人等が手軽にコンビニなどで購入して家まで容易に持ち運ぶことができ、また、炊飯する際には計量の必要がなく、１袋で１合となり、２袋では２合，３袋では３合と、容易に量を調整して炊飯できるものとなる。
【０００７】
また、本考案の米パックにおいて、前記米は洗わずにそのまま使える無洗米であるものとすることもできる。
こうすれば、洗わずにそのまま水を入れて炊飯器で容易に炊くことができるものとなり、一人暮らしの人等にとっては便利なものとなる。
【０００８】
また、本考案の米パックにおいて、前記米パックを構成する袋は透明な樹脂袋であり、該袋内に前記１合の米が密封されてなるものとすることもできる。
こうすれば、透明な樹脂袋内に密閉された状態で米を長期間保存することができ、また、中身が米であることを外側から容易に視認することができるものとなる。
【０００９】
また、本考案の米パックにおいて、前記袋内は真空状態で密封されているものとすることもできる。
こうすれば、真空状態で密封された米を長期間保存することができるものとなる。
【００１０】
また、本考案の米パックにおいて、前記袋内に窒素ガスが入れられて密封されているものとすることもできる。
こうすれば、窒素ガスにより鮮度が保持されて、長期間の保存が可能となる。
【００１１】
また、本考案の米パックにおいて、前記１合の米入りの米パックを複数個持ち運び可能なケース内に入れたものとすることもできる。
こうすれば、ケースに入れた状態で販売し、このケースを購入した者は、ケースに入れたまま容易に持ち運びすることができ、コンビニなどで購入して家まで容易に持ち運びすることができるものとなる。
【００１２】
また、本考案のケース内に入れた米パックにおいて、６個の米パックを前記ケース内に入れたものとすることもできる。
こうすれば、６個の米パックがケース内に入っているために、容易に持ち運びできる重さであり、嵩張ることもなくケースをコンビニなどで陳列し、販売することができるものとなり、ケースには図柄や宣伝文句等を印刷して、ケースの意匠性を高め、購買喚起力を向上させることができるものとなる。
【図面の簡単な説明】
【００１３】
【図１】１合の米を入れる１合パック袋の正面構成図である。
【図２】１合の米を入れた１合パック袋を６個入れることのできるケースの外観図である。
【考案を実施するための形態】
【００１４】
次に、本考案を実施するための形態を実施例を用いて説明する。
図１は、１合パック袋１の正面構成図であり、この１合パック袋１は、透明な樹脂袋で構成されており、内部に１合（１５０ｇ）の無洗米を入れることができる大きさに形成されたものである。
この１合パック袋１は、その下端および上端を熱シールして密閉することができ、予め下端シール部１ａを熱シールして袋状に形成させておき、その状態で、上端を開けて、内部に１合の米を入れ、中の空気を吸引して真空状態として、上端シール部１ｂを熱シールし、内部に１合の無洗米を密閉することができるものである。
なお、密閉する際に、内部の無洗米の鮮度を保持するために、１合パック袋１の内部に窒素ガスを入れておくこともできるものである。
【００１５】
このように内部に１合の米を密封した１合パック袋１の表面には、内部に密封された米が無洗米であることを示す「無洗米」の文字を印刷しておくことができ、また、窒素ガス等の鮮度保持用の気体を入れたことを示す「含気包装」の文字を印刷しておくことができるものである。さらには、表面に、その他の宣伝文句や意匠性を高めるための図柄やキャラクター等を印刷しておくこともできるものである。
【００１６】
このように１合の米を密封した１合パック袋１は、図２に示すような紙製のケース２内に６個積み重ね状に入れられて、コンビニなどで販売されるものである。
この紙製のケース２は、正面２ａおよび側面２ｂに折り曲げ可能に一体状に上面２ｃ，三角部２ｄが連結されており、６個の１合パック袋１を入れた後に、上面２ｃ，三角部２ｄを上面で閉じることができ、この時に、連結されている手提げ立片３が起立するように構成されており、手提げ立片３には、横方向に楕円形状の挿入横孔３ａが形成されており、この挿入横孔３ａ内に手を入れて、手提げ状にしてケース２を持ち運ぶことができるものである。
【００１７】
なお、ケース２の正面２ａの横方向寸法は約１６０ｍｍとなっており、縦方向寸法は約１１０ｍｍとなっている。また、側面２ｂの奥行き寸法は約８０ｍｍとなっている。
なお、６個の１合パック袋１をケース２内に入れてケース２を組み立てた状態では、前後側からそれぞれ手提げ立片３，３が重ね合わされるような構造としても良く、また、上面側の三角部２ｄを手で押すことにより、ミシン目を介してケース２の上面側を開けられるように構成しておくこともできるものである。
【００１８】
また、このケース２の正面２ａおよび側面２ｂには、内部に無洗米のコシヒカリが入れられていることを示す表示や、稲穂の図柄や、その他、農村風景等を印刷しておくことができ、これらの図柄等によりケース２の意匠性を向上させて、宣伝効果等を向上させることができるものである。
【００１９】
６個の１合パック袋１を入れたケース２は、全体としても容易に持ち運べる重さであり、一人暮らしの人や老人等がコンビニなどでこのケース２を購入して、容易に家まで運んでゆくことができ、家で炊飯する際には、１合パック袋１を取り出して計量することなくそのまま水を入れて炊飯器で炊くことができ、計量の必要がなく、また無洗米であるため洗わずにそのまま使うことができて、炊飯作業を極めて容易に行うことができるものであり、一人暮らしの人や老人等にとっては非常に便利なものとなる。
【００２０】
また、使い残した１合パック袋１は、密閉されているため、鮮度を保持したまま米を保存することができるものとなる。
即ち、従来の米の５ｋｇ袋では、全て消費することは殆ど無いために、購入者は米を購入した後、米びつ等に移し変えて、炊飯する度に、米びつから米を取り出して炊飯していたので手間がかかり、また、密閉されていないため長期間の鮮度保持は困難なものであったのが、本考案の１合パック袋１では容易に鮮度保持して保存することができ、炊飯時に１個あるいは２個あるいは３個の１合パック袋１を用いて、計量する必要がなく、容易に量を調整して炊飯することができるものとなる。
【符号の説明】
【００２１】
１  １合パック袋
１ａ  下端シール部
１ｂ  上端シール部
２  ケース
２ａ  正面
２ｂ  側面
２ｃ  上面
２ｄ  三角部
３  手提げ立片
３ａ  挿入横孔
【図１】
0003165476.tif 000003
【図２】
0003165476.tif 000004